(57)【特許請求の範囲】
【請求項１】
便器上に回動可能に載置した便座を開閉させるための便座開閉器であって、足踏み式ペダルと、該ペダルの踏み込みにより前記便座の開動と閉動とを交互に繰り返えさせる便座駆動装置とを有し、前記便座駆動装置が、筐体に回転可能に枢着した回転カムと、筐体に中央部を揺動可能に枢着した状態で一端部を前記回転カムに係合させその他端部を前記便座に係合させたカムレバーとからなるカム機構を有し、且つ前記回転カムに同心状に設けたラチェット車と、該ラチェット車に噛合するラチェット爪とからなるラチェット機構を有し、前記ラチェット爪と前記ペダルとが連結体及びシリンダ内に移動可能に挿入したピストンを介して連結されており、前記ペダルの踏み込みにより前記連結体、ピストン及びラチェット機構を介して前記回転カムを一方向に間欠回転させることにより、前記カムレバーを前後に揺動させて、前記便座の開動と閉動とを交互に繰り返えさせるようにしたことを特徴としている便座開閉器。
【請求項２】
前記筐体が、前記便器に着脱可能に取り付けられていることを特徴とする請求項１に記載の便座開閉器。
【発明の詳細な説明】
【発明の属する技術分野】
【０００１】
本発明は、例えば洋式トイレの便座本体や便座蓋（以下、便座と称する）を開閉させるための便座開閉器に関する。
【０００２】
【従来の技術】
従来、洋式トイレの便座を開閉する場合には、その便座を人が手で直接つかんで開閉させている。
【０００３】
【発明が解決しようとする課題】
上記従来の開閉方法では、便座を人が手で直接つかむ必要があるため、非衛生的である。
【０００４】
そこで、例えば電動モータやエアシリンダなどを用いて便座を開閉させることが考えられる。これによると、便座を機械的に開閉させるため、衛生的であるが、高価な機器を使用しているため、製作費が高くつき、電気代がかかると共に、停電時に使用できない。
【０００５】
本発明は、上記欠点に鑑み、安価で経費がかからず衛生的に便座を開閉させることができる便座開閉器を提供することを目的としている。
【０００６】
【課題を解決するための手段】
上記目的を達成するための本発明の構成を実施の形態に対応する図面に基づいて説明すると、請求項１記載の発明は、便器１上に回動可能に載置した便座３ｂを開閉させるための便座開閉器であって、足踏み式ペダル５と、該ペダル５の踏み込みにより前記便座３ｂの開動ｄと閉動ｅとを交互に繰り返えさせる便座駆動装置６とを有し、前記便座駆動装置６が、筐体６ａに回転可能に枢着した回転カム７ａと、筐体６ａに中央部を揺動可能に枢着した状態で一端部を前記回転カム７ａに係合させその他端部を前記便座３ｂに係合させたカムレバー７ｂとからなるカム機構７を有し、且つ前記回転カム７ａに同心状に設けたラチェット車８ａと、該ラチェット車８ａに噛合するラチェット爪８ｂとからなるラチェット機構８を有し、前記ラチェット爪８ｂと前記ペダル５とが連結体１９及びシリンダ１７内に移動可能に挿入したピストン１８を介して連結されており、前記ペダル５の踏み込みにより前記連結体１９、ピストン１８及びラチェット機構８を介して前記回転カム７ａを一方向に間欠回転させることにより、前記カムレバー７ｂを前後に揺動させて、前記便座７ｂの開動ｄと閉動ｅとを交互に繰り返えさせるようにしたことを特徴としている。
【０００７】
上記構成によれば、足踏み式ペダル５を踏み込むだけで、便座駆動装置６により便座３ｂを開けたり閉じたりすることができ、その便座３ｂに人が手を触れる必要がないから、衛生的である。また、電気代がかからず、経済的であり、停電時でも使用できる。
【０００８】
また、上記構成によれば、カム機構７により便座３ｂを開けたり閉じたりするようになっており、従来のように電動モータやエアシリンダなどの高価な機器を使用していないから、製作費が安くつく。
【０００９】
さらにまた、上記構成によれば、ペダル５を繰り返し踏み込むだけで、ラチェット機構８により回転カム７ａを所定角度ごとに一方向に間欠回転させて、便座３ｂを確実に開けたり閉じたりすることができる。
【００１０】
請求項２記載の発明は、請求項１記載の発明において、前記筐体６ａが、前記便器１に着脱可能に取り付けられていることを特徴としている。
【００１１】
上記構成によれば、既存の便器１に便座駆動装置６を簡単に取り付けることができ、実用的である。
【００１２】
【発明の実施の形態】
図１及び図２は洋式トレイに本発明の実施の一形態である便座開閉器を取り付けた状態を示すものであって、洋式トイレは、便器１と、該便器１上に枢支軸２を介して回動可能に載置した便座本体３ａ及び便座蓋（便座）３ｂと、水槽４とを有し、また、弁座開閉器は、便器１の近くの床上に配置した足踏み式ペダル５と、筐体６ａ内に配置したカム機構７及びラチェット機構８を備えた便座駆動装置６とを有している。
【００１３】
前記足踏み式ペダル５は、図３に示すように、基台１１と、該基台１１に枢支軸１２を介して回動可能に連結したペダル本体１３とを有し、基台１１上に立設した筒体１４に昇降可能に挿入した昇降軸１５がばね１６により上方に付勢されてペダル本体１３の押さえ部１３ａに当接され、前記筐体６の前壁部に貫通固着したシリンダ１７に移動可能に挿入したピストン１８と前記昇降軸１５とがワイヤロープ（連結体）１９により一体的に連結されており、ペダル５を踏み込むことにより、昇降軸１５がばね１６に抗して押し下げられ、ワイヤロープ１９を介してピストン１８が前進ａされ、ペダル５の踏み込みを解除することにより、昇降軸１５がばね１６により押し上げられ、ワイヤロープ１９を介してピストン１８が後進ｂされる。なお、２０はワイヤロープ１９に外嵌する可撓性チューブである。
【００１４】
前記筐体６ａは、図１及び図２に示すように、便器１の一側面後部に配置されており、該筐体６ａの上部から側方に延びる係止枠２２を便器１に跨がらせ、該係止枠２２の先端に設けたボルト２３を便器１の他側面に圧接させるだけで、既存の便器１に簡単に取り付けることができ、実用的である。
【００１５】
前記カム機構７は、図３及び図４に示すように、筐体６ａ内の中央部に設けたカム軸２５に回転可能に外嵌されて外周面に所定角度α（この実施の形態では４５°）ごとに凹部２６と凸部２７とを交互に形成した略円板状回転カム７ａと、筐体６ａ内の回転カム７ａよりも上方に設けた支軸２８に中央部が揺動可能に枢着されたカムレバー７ｂとを有し、該カムレバー７ｂの一端部に回転可能に取り付けたカムローラ２９が回転カム７ａの外周面に当接されると共に、そのカムレバー７ｂの他端部が筐体６ａの天板部に形成したスリット３０を通って上方に延ばされ、カムレバー７ｂの他端部に形成した長孔３１が便座蓋３ｂから側方に突出する突起杆３２に嵌合されている。なお、３３はカムローラ浮き上がり防止ばねである。
【００１６】
前記ラチェット機構８は、図３及び図４に示すように、前記回転カム７ａに同心状に一体形成したラチェット車８ａと、前記ピストン１８に連結軸３５を介して上下動可能に連結されたラチェット爪８ｂとを有し、該ラチェット爪８ｂの先端がラチェット車８ａの歯部３６に係合されている。
【００１７】
上記構成において、図１及び図３に示すように、便座蓋３ｂを閉じた状態で、ペダル本体１３を踏み込むと、ワイヤロープ１９及びピストン１８を介してラチェット爪８ｂが前進ａされることにより、ラチェット車８ａが矢印ｃ方向に所定角度αだけ間欠回転される。これによって、図５に示すように、回転カム７ａもラチェット車８ａと一体に回転され、凹部２６に当接されていたカムローラ２９が凸部２７に当接されて、カムレバー７ｂが後方に揺動され、突起杆３２を介して便座蓋３ｂが開動ｄされ、その便座蓋３ｂを起立させて便座本体３ａの上面が開放される。
【００１８】
前記ペダル本体１３の踏み込みを解除することにより、ばね１６によりワイヤロープ１９及びピストン１８を介してラチェット爪８ｂが後進ｂされる。これによって、ラチェット爪８ｂとラチェット車８ａとの係合状態が解除され、そのラチェット車８ａ及び回転カム７ａが逆転されないから、便座蓋３ｂの起立状態を保持することができる。
【００１９】
便座蓋３ｂを起立させた状態で、ペダル本体１３を踏み込むと、前記と同様の手順で、ラチェット車８ａ及び回転カム７ａが矢印ｃ方向に所定角度αだけ間欠回転され、これによって、図１及び図３に示すように、凸部２７に当接されていたカムローラ２９が凹部２６に当接されて、カムレバー７ｂが前方に揺動され、突起杆３２を介して便座蓋３ｂが閉動ｅされ、その便座蓋３ｂを便座本体３ａに被せる。
【００２０】
前記ペダル本体１３の踏み込みを解除することにより、前記と同様の手順で、ラチェット爪８ｂが後進ｂされ、そのラチェット爪８ｂとラチェット車８ａとの係合状態が解除されて、便座蓋３ｂを便座本体３ａに被せた状態を保持することができる。
【００２１】
上記構成によれば、ペダル本体１３を踏み込むだけで、ラチェット機構８及びカム機構７を介して便座蓋３ｂを確実に開けたり閉じたりすることができ、その便座蓋３ｂに人が手を触れる必要がないから、衛生的である。また、電気代がかからず、経済的であり、停電時でも使用できる。更に、従来のように電動モータやエアシリンダなどの高価な機器を使用していないから、製作費が安くつく。
【００２２】
上記実施の形態では、便座蓋３ｂを開閉させる場合を例にあげて説明したが、これに限定されるわけでなく、便座本体３ａを開閉する場合や、便座本体３ａ及び便座蓋３ｂの両方を開閉する場合にも適用することができる。
【００２３】
【発明の効果】
請求項１記載の発明によれば、足踏み式ペダルを踏み込むだけで、便座駆動装置により便座を開けたり閉じたりすることができ、その便座に人が手を触れる必要がないから、衛生的である。また、電気代がかからず、経済的であり、停電時でも使用できる。
【００２４】
また本発明によれば、カム機構により便座を開けたり閉じたりするようになっており、従来のように電動モータやエアシリンダなどの高価な機器を使用していないから、製作費が安くつく。
【００２５】
さらにまた本発明によれば、ペダルを繰り返し踏み込むだけで、ラチェット機構により回転カムを所定角度ごとに一方向に間欠回転させて、便座を確実に開けたり閉じたりすることができる。
【００２６】
請求項２記載の発明によれば、既存の便器に便座駆動装置を簡単に取り付けることができ、実用的である。
【図面の簡単な説明】
【図１】洋式トレイに本発明の実施の一形態である便座開閉器を取り付けた状態を示す側面図である。
【図２】同平面図である。
【図３】同便座蓋を閉じた状態の要部の一部切欠き側面図である。
【図４】図３のＡ−Ａ矢視図である。
【図５】同便座蓋を開けた状態の要部の一部切欠き側面図である。
【符号の説明】
１      便器
３ａ    便座本体
３ｂ    便座蓋（便座）
５      足踏み式ペダル
６      便座駆動装置
６ａ    筐体
７      カム機構
７ａ    回転カム
７ｂ    カムレバー
８      ラチェット機構
８ａ    ラチェット車
８ｂ    ラチェット爪
１８    ピストン
１９    ワイヤロープ（連結体）
ｄ      開動
ｅ      閉動
【図１】
0003615978.tif 000002
【図２】
0003615978.tif 000003
【図３】
0003615978.tif 000004
【図４】
0003615978.tif 000005
【図５】
0003615978.tif 000006